(57)【要約】【課題】カムスライダーが小型化しても、レバーアームの姿勢が安定し、落下衝撃にも耐え得る光ディスク装置のドライブ装置を提供することである。【解決手段】光ディスク装置のドライブ装置は、トラバースシャーシを昇降可能に支持するレバーアーム１５と、レバーアーム１５とカム係合し、レバーアーム１５の移動方向と略直交する方向に移動してレバーアーム１５を上下動させるカムスライダー１６とを有し、レバーアーム１５は、カムスライダー１６側に突出したボスと、光ディスクのチャッキング位置においてカムスライダー１６に担持される被担持部１５ｂ、１５ｃとを備え、カムスライダー１６は、ボスに係合する溝部と、光ディスクのチャッキング位置において被担持部１５ｂ、１５ｃを担持する担持部１６ｂ、１６ｃとを備える構成とする。【選択図】図７Ａ
2012164398.tif 000002
【特許請求の範囲】
【請求項１】
トラバースシャーシを昇降可能に支持するレバーアームと、
前記レバーアームとカム係合し、前記レバーアームの移動方向と略直交する方向に移動して前記レバーアームを上下動させるカムスライダーとを有する光ディスク装置のドライブ装置であって、
前記レバーアームは、前記カムスライダー側に突出したボスと、光ディスクのチャッキング位置において前記カムスライダーに担持される被担持部とを備え、
前記カムスライダーは、前記ボスに係合する溝部と、光ディスクのチャッキング位置において前記被担持部を担持する担持部とを備えることを特徴とする光ディスク装置のドライブ装置。
【請求項２】
前記担持部と前記被担持部との組が複数組あることを特徴とする請求項１記載の光ディスク装置のドライブ装置。
【請求項３】
前記ボスと前記溝部との組が複数組あることを特徴とする請求項１又は２記載の光ディスク装置のドライブ装置。
【請求項４】
前記ボスと前記溝部との組が１組、前記担持部と前記被担持部との組が２組あることを特徴とする請求項１記載の光ディスク装置のドライブ装置。
【請求項５】
前記担持部は、前記カムスライダー後端の両側端付近の上面部であることを特徴とする請求項４記載の光ディスク装置のドライブ装置。
【請求項６】
光ディスクのチャッキング位置において、前記ボスは前記溝部に遊嵌していることを特徴とする請求項１〜５の何れかに記載の光ディスク装置のドライブ装置。
【発明の詳細な説明】
【技術分野】
【０００１】
本発明は、ＣＤ、ＤＶＤ、ＢＤ（Blu-ray Disc）等に対して記録／再生を行う光ディスク装置のドライブ装置に関する。
【背景技術】
【０００２】
従来から光ディスク装置として、光ディスクを載置したディスクトレイを装置本体内に移動させ、装置本体内に設けたディスクホルダ（クランパー）とターンテーブルとの間に光ディスクをクランプし、光ディスクに対して記録又は再生を行うようにしたものが知られている。そして近年、この光ディスク装置のディスクローディング機構を改善したものが種々提案されている。
【０００３】
例えば特許文献１には、装置本体に固定のシャーシと、モータの駆動により複数のギアを介して前記シャーシに対して所定方向に昇降可能なトラバースメカと、光ピックアップを有するとともに前記トラバースメカに設けられて前記モータの駆動により前記トラバースメカの昇降方向に略直交する方向に移動可能なピックアップユニットとを有し、前記トラバースメカの昇降の方向及び前記ピックアップユニットの移動方向に対して略直交する方向に移動できるように前記シャーシに設けられたカムスライダーと、前記カムスライダーとのカム係合により前記トラバースメカを昇降させるように前記トラバースメカに設けられたシフトレバーとを備えたディスク装置であって、ディスクを搬送するトレイと、そのラック部に噛合して該トレイを駆動するトレイギアを設け、ディスクを載置したトレイを前記装置本体内に移動させ、該装置本体内に設けたクランパーと前記トラバースメカに設けたターンテーブルとの間に前記ディスクをクランプして、該ディスクに対して前記光ピックアップにより記録或いは再生を行うディスク装置において、前記モータの駆動により前記ピックアップユニットを移動させるラック部材を有し、トレイオープン動作時には、該ラック部材先端で前記トレイギア外周が押圧されてこれが一時的に回転することにより、該トレイギアと前記カムスライダーのラック部とが噛み合いを開始するとともに、前記トレイギアが前記モータの駆動に連動して回転開始するようにしてなり、前記トレイギアの回転により前記カムスライダーが移動するときに、該カムスライダーにより前記ラック部材を引き込みつつ保持するようにしてなり、前記カムスライダーの移動により前記トラバースメカが下降するときに、前記カムスライダーに代わって前記シャーシにより前記ラック部材を保持するようにしてなり、前記トラバースメカの下降が完了すると、前記カムスライダーにより前記トレイが押し出され、前記トレイギアと前記トレイのラック部とが噛み合いを開始するようにしてなるディスク装置が開示されている。
【０００４】
また特許文献２には、動力源である駆動モーターと、ディスク装置本体に対してスライドして開閉自在に設けられ、ディスクを載置でき、かつ、上記駆動モーターの駆動力に基づく開閉駆動力を受けるためのトレイラックと、連動機構であるトレイ溝とを備えるディスクトレイと、上記ディスクトレイのオープンを検出するトレイオープンスイッチと、上記ディスクに対して光を照射させるとともに、このディスクの内周または外周へと往復自在に設けられ、上記駆動モーターの駆動力に基づく往復駆動力を受けるとともに、第１ボスを具備したＯＰＵラックを備えた光ピックアップユニットと、上記光ピックアップユニットが上記ディスク内周に到達したことを検出する内周到達検出センサーと、昇降自在に設けられ、上記駆動モーターの駆動力に基づく昇降駆動力を受けるための第２ボスを具備したトラバースホルダーと、上記ＯＰＵラックの第１ボスに係合する第１溝を具備してこのＯＰＵの移動に連動するとともに、連結ボスを有したレバートリガーと、上記駆動モーターの駆動力を伝達するギア群とを備えたトラバースアッシィユニットと、上記駆動モーターを搭載し、かつ上記ギア群を介して上記駆動モーターの駆動力の伝達を受ける一方、伝達されないようにするための間欠部を具備したギアトレイを軸支し、さらにこのギアトレイと噛み合うカムスライダーラックを具備するとともに、上記トラバースホルダーの第２ボスの係合するカム溝、上記ディスクトレイのトレイ溝と係合する立設ボス、および上記レバートリガーの連結ボスと係合する連結溝を具備し、このトラバースホルダー、およびディスクトレイを連動させる一方、上記レバートリガーの移動に連動するようにしたカムスライダーを備えたローダーシャーシユニットと、を含むディスク装置において、さらに、上記駆動モーターの正逆回転駆動における回転数を検出するエンコーダセンサーが設けられ、上記エンコーダセンサーによって検出された上記駆動モーターの正回転方向の回転数に基づいて、上記ギア群を介して伝達される駆動力を上記ＯＰＵラックが受けることで、上記光ピックアップユニットを上記ディスクの内周へと移動させ、次に、上記ＯＰＵラックの移動によって内周に移動する上記第１ボスによって、その第１ボスの係合する第１溝を有した上記レバートリガーが連動して移動し、この移動に伴って移動する連結ボスよって、この連結ボスと係合する連結溝を有したカムスライダーが連動してスライドし、このスライドに応じて上記カムスライダーラックに噛み合った上記ギアトレイが、上記ギア群を介した駆動力を受けて回転するようになり、このギアトレイの回転によって、上記カムスライダーがさらにスライドし、上記カム溝に係合した第２ボスを有する上記トラバースホルダーを連動させることで、上記トラバースアッシィユニットを降下させ、さらに、上記カムスライダーのスライドに応じて、上記立設ボスの係合する上記トレイ溝を有するディスクトレイが連動して、開く方向に移動するとともに、上記トレイラックが上記ギアトレイと噛み合うようになり、上記ギア群を介して伝達される駆動力を受けて、このディスクトレイをオープンさせることで、上記トレイオープンスイッチを排除させたディスク装置が開示されている。
【０００５】
また特許文献３には、ディスクを支持して回転させるターンテーブルと、ディスクを載置して該ディスクを前記ターンテーブルに対して近接及び遠離させるトレイと、を備えたディスク再生装置において、載置されたディスクを保持するディスクホルダーを前記トレイに設け、前記ディスクが前記ターンテーブルに対して近接し、前記ディスクが該ターンテーブルに支持されつつあるとき、前記ディスクホルダーが該ターンテーブルから遠ざかる方向に移動するようにして成るディスク再生装置が開示されている。
【先行技術文献】
【特許文献】
【０００６】
【特許文献１】特開２００７−１８６５８号公報
【特許文献２】特開２００６−４０３９３号公報
【特許文献３】特開２００４−２４６９７５号公報
【発明の概要】
【発明が解決しようとする課題】
【０００７】
上記の光ディスク装置では、モーターの駆動によって複数のギヤを介してカムスライダーが左右方向に移動し、さらにカムスライダーにカム係合するレバーアームが上下動し、レバーアームが支持するトラバースアッシーを上下動させる機構となっているものがある。
【０００８】
ここで、レバーアームに設けられた２つのボスがカムスライダーの２つの溝にそれぞれ係合することで、レバーアームの上下動を実現している。よって、２つのボスでレバーアーム及びトラバースアッシーの前端部を支持してその重量を受け、かつトラバースアッシーの姿勢を保持することになる。また、落下時にはその構造上、ボスに大きな衝撃が加わることになる。
【０００９】
したがって、ボスは十分な負荷に耐えられるように太くし、トラバースアッシーを安定な姿勢で保持できるようにボス同士を左右方向に離して設けることが望ましいと言える。しかしながら、近年の光ディスク装置の小型化・薄型化の要請により、各部品が小さくなる傾向にあり、カムスライダーも例外ではない。カムスライダーを小さくすると、必然的にボスを細く、ボス同士を近く設けざる得なくなるので、ボスの耐負荷は小さく、姿勢保持も不安定になる傾向にある。これらの問題は、上記の特許文献１〜３の技術では解決することができない。
【００１０】
本発明は、カムスライダーが小型化しても、レバーアームの姿勢が安定し、落下衝撃にも耐え得る光ディスク装置のドライブ装置を提供することを目的とする。
【課題を解決するための手段】
【００１１】
上記目的を達成するために本発明は、トラバースシャーシを昇降可能に支持するレバーアームと、前記レバーアームとカム係合し、前記レバーアームの移動方向と略直交する方向に移動して前記レバーアームを上下動させるカムスライダーとを有する光ディスク装置のドライブ装置であって、前記レバーアームは、前記カムスライダー側に突出したボスと、光ディスクのチャッキング位置において前記カムスライダーに担持される被担持部とを備え、前記カムスライダーは、前記ボスに係合する溝部と、光ディスクのチャッキング位置において前記被担持部を担持する担持部とを備えることを特徴とする。
【００１２】
上記光ディスク装置のドライブ装置において、前記担持部と前記被担持部との組が複数組あってもよい。
【００１３】
また上記光ディスク装置のドライブ装置において、前記ボスと前記溝部との組が複数組あってもよい。
【００１４】
また上記光ディスク装置のドライブ装置において、前記ボスと前記溝部との組が１組、前記担持部と前記被担持部との組が２組あることが望ましい。
【００１５】
また上記光ディスク装置のドライブ装置において、前記担持部は、前記カムスライダー後端の両側端付近の上面部であることが望ましい。
【００１６】
また上記光ディスク装置のドライブ装置において、光ディスクのチャッキング位置において、前記ボスは前記溝部に遊嵌していることが望ましい。
【発明の効果】
【００１７】
本発明によると、ボスと溝部の係合以外に、被担持部と担持部を設けることにより、小型化したカムスライダーでも、光ディスクのチャッキング位置においてレバーアーム及びトラバースアッシーの姿勢が安定し、ボスがクリープ変形するおそれもなく、落下衝撃にも耐え得る光ディスク装置のドライブ装置を提供できる。
【図面の簡単な説明】
【００１８】
【図１Ａ】本発明の光ディスク装置のドライブ装置の平面図である。
【図１Ｂ】本発明の光ディスク装置のドライブ装置の正面図である。
【図１Ｃ】本発明の光ディスク装置のドライブ装置の左側面図である。
【図１Ｄ】本発明の光ディスク装置のドライブ装置の右側面図である。
【図１Ｅ】本発明の光ディスク装置のドライブ装置の背面図である。
【図１Ｆ】本発明の光ディスク装置のドライブ装置の底面図である。
【図２Ａ】図１Ａにおいてカバーとディスクトレイとを取り除いた図である。
【図２Ｂ】図１Ｂにおいてカバーとディスクトレイとを取り除いた図である。
【図２Ｃ】図１Ｃにおいてカバーとディスクトレイとを取り除いた図である。
【図２Ｄ】図１Ｄにおいてカバーとディスクトレイとを取り除いた図である。
【図２Ｅ】図１Ｅにおいてカバーとディスクトレイとを取り除いた図である。
【図２Ｆ】図１Ｆにおいてカバーとディスクトレイとを取り除いた図である。
【図３Ａ】本発明のトラバースアッシー及びレバーアームの平面図である。
【図３Ｂ】本発明のトラバースアッシー及びレバーアームの正面図である。
【図３Ｃ】本発明のトラバースアッシー及びレバーアームの左側面図である。
【図３Ｄ】本発明のトラバースアッシー及びレバーアームの右側面図である。
【図３Ｅ】本発明のトラバースアッシー及びレバーアームの背面図である。
【図３Ｆ】本発明のトラバースアッシー及びレバーアームの底面図である。
【図４Ａ】本発明のトラバースアッシーの平面図である。
【図４Ｂ】本発明のトラバースアッシーの正面図である。
【図４Ｃ】本発明のトラバースアッシーの左側面図である。
【図４Ｄ】本発明のトラバースアッシーの右側面図である。
【図４Ｅ】本発明のトラバースアッシーの背面図である。
【図４Ｆ】本発明のトラバースアッシーの底面図である。
【図５Ａ】本発明のレバーアームの平面図である。
【図５Ｂ】本発明のレバーアームの正面図である。
【図５Ｃ】本発明のレバーアームの左側面図である。
【図５Ｄ】本発明のレバーアームの右側面図である。
【図５Ｅ】本発明のレバーアームの背面図である。
【図５Ｆ】本発明のレバーアームの底面図である。
【図６Ａ】本発明のカムスライダーの平面図である。
【図６Ｂ】本発明のカムスライダーの正面図である。
【図６Ｃ】本発明のカムスライダーの左側面図である。
【図６Ｄ】本発明のカムスライダーの右側面図である。
【図６Ｅ】本発明のカムスライダーの背面図である。
【図６Ｆ】本発明のカムスライダーの底面図である。
【図７Ａ】本発明の光ディスクアンチャッキング位置におけるレバーアームとカムスライダーの組み付け状態を示す平面図である。
【図７Ｂ】本発明の光ディスクアンチャッキング位置におけるレバーアームとカムスライダーの組み付け状態を示す正面図である。
【図７Ｃ】本発明の光ディスクアンチャッキング位置におけるレバーアームとカムスライダーの組み付け状態を示す左側面図である。
【図７Ｄ】本発明の光ディスクアンチャッキング位置におけるレバーアームとカムスライダーの組み付け状態を示す右側面図である。
【図８Ａ】本発明の光ディスクチャッキング位置におけるレバーアームとカムスライダーの組み付け状態を示す平面図である。
【図８Ｂ】本発明の光ディスクチャッキング位置におけるレバーアームとカムスライダーの組み付け状態を示す正面図である。
【図８Ｃ】本発明の光ディスクチャッキング位置におけるレバーアームとカムスライダーの組み付け状態を示す左側面図である。
【図８Ｄ】本発明の光ディスクチャッキング位置におけるレバーアームとカムスライダーの組み付け状態を示す右側面図である。
【発明を実施するための形態】
【００１９】
図１Ａ〜図１Ｆは本発明の光ディスク装置のドライブ装置の六面図であり、図１Ａは平面図、図１Ｂは正面図、図１Ｃは左側面図、図１Ｄは右側面図、図１Ｅは背面図、図１Ｆは底面図である。また、図２Ａ〜図２Ｆは図１Ａ〜図１Ｆにおいてそれぞれ上面のカバーとディスクトレイとを取り除いた状態の図である。また、図３Ａ〜図３Ｆはトラバースアッシー１４及びレバーアーム１５の六面図であり、図３Ａは平面図、図３Ｂは正面図、図３Ｃは左側面図、図３Ｄは右側面図、図３Ｅは背面図、図３Ｆは底面図である。また、図４Ａ〜図４Ｆはトラバースアッシー１４の六面図であり、図４Ａは平面図、図４Ｂは正面図、図４Ｃは左側面図、図４Ｄは右側面図、図４Ｅは背面図、図４Ｆは底面図である。
【００２０】
光ディスク装置は外観を形成する装置本体の筐体内にドライブ装置１０を収容している。ドライブ装置１０は、ドライブ装置１０の各部材を収容するローダーシャーシ１１と、ローダーシャーシ１１の上面開口部を覆うカバー１２と、光ディスクを搬送するディスクトレイ１３と、ディスクトレイ１３の搬送方向（前後方向）に略垂直な方向（上下方向）に旋回して昇降可能なトラバースアッシー１４と、トラバースアッシー１４の下面の一部（本実施形態では下面の前端付近）を覆ってトラバースアッシー１４を支持するとともに上下動する平面視略Ｕ字型のレバーアーム１５と、レバーアーム１５の前部とカム係合し、左右方向（ディスクトレイ１３の搬送方向及びトラバースアッシー１４の昇降方向と略直交する方向）に移動してレバーアーム１５を上下動させるカムスライダー１６と、ディスクトレイ１３及びカムスライダー１６を複数のギヤを介して駆動するモーター（不図示）とを備えている。
【００２１】
トラバースアッシー１４は、各部材を載せるためのトラバースシャーシ２０と、光ピックアップユニット（ＯＰＵ）２１と、ＯＰＵ２１を光ディスクの径方向（前後方向）に移動可能に支持する２本のガイドシャフト２２、２２と、ＯＰＵ２１駆動用のステッピングモーター２３と、ステッピングモーター２３に接続されたリードスクリュー２４と、ＯＰＵ２１に固定され、リードスクリュー２４に向けて片持ち状態に延出し、噛合い歯がリードスクリュー２４に噛合し、リードスクリュー２４の回転に追従して送り移動される樹脂製のティース２５と、噛合い歯をリードスクリュー２４に対する噛合い方向に付勢するティーススプリング３２（図３Ｆ参照）と、トラバースシャーシ２０の上面の前寄り部分に設けられ、光ディスクを回転させるスピンドルモーター２６と、スピンドルモーター２６を載せたスピンドルモーター用ＰＣＢ（プリント基板）２７（図４Ｂ参照）と、トラバースシャーシ２０の下面に設けられ、ドライブ装置１０全体を制御するためのＰＣＢ２８（図４Ｆ参照）と、一端がスピンドルモーター用ＰＣＢ２７に接続され、トラバースシャーシ２０の前方からトラバースシャーシ２０の下側に回り込んでトラバースシャーシ２０とレバーアーム１５の間を通ってＰＣＢ２８に他端が接続されたスピンドルモーター用ＦＦＣ（フレキシブルフラットケーブル）２９（図４Ａ参照）とを備えている。
【００２２】
トラバースアッシー１４は、トラバースシャーシ２０の前端２点で係止手段３０、３０によりレバーアーム１５に係止され、トラバースシャーシ２０の後端２点で係止手段３１、３１によりローダーシャーシ１１に係止されている。係止手段３０、３１は、ゴム製のＯリング及びビスである。
【００２３】
上記構成の光ディスク装置において、引き出された状態のディスクトレイ１３に光ディスクが載置されると、モーターの駆動によりディスクトレイ１３がディスク装置１０内に搬送される。ディスクトレイ１３が所定位置に配されると、ディスクトレイ１３へのモーターの駆動力の伝達が解除されてディスクトレイ１３が停止し、モーターの駆動によりカムスライダー１６が移動し、トラバースアッシー１４を上昇させる。これにより、トラバースアッシー１４が光ディスクに係合し、光ディスクがチャックされる。
【００２４】
光ディスクがチャックされると、カムスライダー１６へのモーターの駆動力伝達が解除されてカムスライダー１６及びトラバースアッシー１４が停止する。続いてステッピングモーター２３の駆動によりＯＰＵ２１が所定位置に移動し、光ディスクに対して記録又は再生を行う。また、光ディスクを取り出す際には上記と逆の動作が行われる。
【００２５】
次に、レバーアーム１５の構造について詳しく説明する。図５Ａ〜図５Ｆはレバーアーム１５の六面図であり、図５Ａは平面図、図５Ｂは正面図、図５Ｃは左側面図、図５Ｄは右側面図、図５Ｅは背面図、図５Ｆは底面図である。
【００２６】
レバーアーム１５は、ＰＯＭ（polyoxymethylene）等を射出成形等して形成され、カムスライダー１６側（前面側）に突出したボス１５ａと、光ディスクのチャッキング位置においてカムスライダー１６に担持される被担持部１５ｂ、１５ｃと、ローダーシャーシ１１に係合して回動する軸である枢軸１５ｄ、１５ｄとを備えている。
【００２７】
ボス１５ａは、レバーアーム前面の略中央部分に形成された平板状の突出部であり、後述する溝部１６ａを貫通する長さであればよい。
【００２８】
一方の被担持部１５ｂは、レバーアーム１５前端の左端付近から前方に突出した略直方体部分である。その底面は後述する担持部１６ｂの上面を摺動するとともに担持されるため平坦面である。また、その底面と右側面とが交わる部分は後述する担持部１６ｂが摺動する際に引っかからないように曲面となっている。
【００２９】
他方の被担持部１５ｃは、レバーアーム１５前端の右端の一部分である。その底面は後述する担持部１６ｃの上面を摺動するとともに担持するため平坦面である。また、その底面と右側面とが交わる部分は後述する担持部１６ｃが摺動する際に引っかからないように曲面となっている。
【００３０】
次に、カムスライダー１６の構造について詳しく説明する。図６Ａ〜図６Ｆはカムスライダー１６の六面図であり、図６Ａは平面図、図６Ｂは正面図、図６Ｃは左側面図、図６Ｄは右側面図、図６Ｅは背面図、図６Ｆは底面図である。
【００３１】
カムスライダー１６は、ＰＯＭ等を射出成形等して形成され、ボス１５ａに係合する溝部１６ａと、カムスライダー１６後端の両側端付近の上面部に位置し、光ディスクのチャッキング位置において被担持部１５ｂ、１５ｃを担持する担持部１６ｂ、１６ｃと、モーターの駆動力を伝えるギヤに噛合するラック部１６ｄとを備えている。
【００３２】
溝部１６ａは、ボス１５ａを案内する貫通孔でありスリットである。溝部１６ａは、水平に延びた下段と、下段の一端から斜め上に傾斜している中段と、中段の一端から水平に延びた上段とで構成されている。
【００３３】
一方の担持部１６ｂは、カムスライダー１６後端の左端付近の一部分である。その上面は被担持部１５ｂの底面を摺動するとともに担持するため平坦面である。また、その上面から左方は被担持部１５ｂが摺動する際に引っかからないように傾斜面となっている。
【００３４】
他方の担持部１６ｃは、カムスライダー１６後端の右端付近から後方に突出した略直方体部分である。その上面は被担持部１５ｃの底面を摺動するとともに担持するため平坦面である。また、その上面と左側面とが交わる部分は被担持部１５ｃが摺動する際に引っかからないように傾斜面となっている。
【００３５】
図７Ａ〜図７Ｄは光ディスクアンチャッキング位置におけるレバーアーム１５とカムスライダー１６の組み付け状態を示す四面図であり、図７Ａは平面図、図７Ｂは正面図、図７Ｃは左側面図、図７Ｄは右側面図である。また、図８Ａ〜図８Ｄは光ディスクチャッキング位置におけるレバーアーム１５とカムスライダー１６の組み付け状態を示す四面図であり、図８Ａは平面図、図８Ｂは正面図、図８Ｃは左側面図、図８Ｄは右側面図である。
【００３６】
光ディスクアンチャッキング位置、つまりディスクトレイ１３が引き出された状態においては、カムスライダー１６が右端に位置しており、ボス１５ａは溝部１６ａの下段に位置し、レバーアーム１５は下降した状態となっている。この状態からディスクトレイ１３の引き込みが指示されると、カムスライダー１６が左方向へ移動することによりボス１５ａが溝部１６ａの中段を通って上段へ案内され、レバーアーム１５が上昇する。そして、光ディスクチャッキング位置、つまりディスクトレイ１３が収容された状態においては、カムスライダー１６が左端に位置しており、ボス１５ａは溝部１６ａの上段に位置し、レバーアーム１５は上昇した状態となっている。
【００３７】
光ディスクのチャッキング位置において、ボス１５ａは溝部１６ａに遊嵌している。したがって、この状態でボス１５ａにはトラバースアッシー１４及びレバーアーム１５の重量は掛からず、トラバースアッシー１４及びレバーアーム１５の重量は被担持部１５ｂ、１５ｃ及び担持部１６ｂ、１６ｃの２点に掛かる。この２点で光ディスクのチャッキング位置におけるトラバースアッシーの姿勢保持も行われる。この２点はそれぞれカムスライダー１６の両側端付近に位置し、小型化したカムスライダー１６であってもレバーアーム１５の左右方向に十分離れているので、安定した姿勢保持を実現することができる。
【００３８】
工場出荷時は光ディスクのチャッキング位置になっているので、従来品では２つのボスに負荷が掛かった状態であった。そのため、輸送コンテナ内の温度（約６０℃）でボスがクリープ変形するおそれがあった。一方、上記の実施形態では光ディスクのチャッキング位置でボス１５ａに負荷が掛からないのでボスがクリープ変形するおそれはなく、負荷が掛かる担持部１６ｂ、１６ｃは強固に形成できるのでクリープ変形するおそれはない。また、光ディスク装置を落下させた場合にも落下衝撃は担持部１６ｂ、１６ｃに伝わるので、担持部１６ｂ、１６ｃで十分に衝撃を吸収することができ、落下衝撃に耐え得る。
【００３９】
なお、上記の実施形態では、ボスと溝部との組が１組、担持部と被担持部との組が２組ある場合について説明したが、ボスと溝部との組は１組以上であればよく、担持部と被担持部との組は１組以上であればよい。
【００４０】
ただし、ボスと溝部との組が１組、かつ担持部と被担持部との組が１組である場合は、１組の担持部と被担持部との１点だけでレバーアームの姿勢を保持すると不安定になるので、溝部でボスを支持するようにし、２点でレバーアームを保持することが望ましい。この場合、ボス以外の担持部にも負荷が掛かるのでボスに掛かる負荷は小さくなり、ボスがクリープ変形するおそれはなく、担持部は強固に形成できるのでクリープ変形するおそれはない。
【００４１】
なお、光ディスクのチャッキング位置においてレバーアームをカムスライダーの３点以上で受ける構成にすると、精度上同じ高さで受けることが難しいので姿勢保持が不安定になりやすい。よって、２点で受ける構成が好ましい。
【００４２】
このように、ボス１５ａと溝部１６ａの係合以外に、被担持部１５ｂ、１５ｃと担持部１６ｂ、１６ｃを設けることにより、小型化したカムスライダー１６でも、光ディスクのチャッキング位置においてレバーアーム１５及びトラバースアッシー１４の姿勢が安定し、ボス１５ａがクリープ変形するおそれもなく、落下衝撃にも耐え得る。
【産業上の利用可能性】
【００４３】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００４４】
１０  ドライブ装置
１５  レバーアーム
１５ａ  ボス
１５ｂ、１５ｃ  被担持部
１６  カムスライダー
１６ａ  溝部
１６ｂ、１６ｃ  担持部
２０  トラバースシャーシ
【図１Ａ】
2012164398.tif 000003
【図１Ｂ】
2012164398.tif 000004
【図１Ｃ】
2012164398.tif 000005
【図１Ｄ】
2012164398.tif 000006
【図１Ｅ】
2012164398.tif 000007
【図１Ｆ】
2012164398.tif 000008
【図２Ａ】
2012164398.tif 000009
【図２Ｂ】
2012164398.tif 000010
【図２Ｃ】
2012164398.tif 000011
【図２Ｄ】
2012164398.tif 000012
【図２Ｅ】
2012164398.tif 000013
【図２Ｆ】
2012164398.tif 000014
【図３Ａ】
2012164398.tif 000015
【図３Ｂ】
2012164398.tif 000016
【図３Ｃ】
2012164398.tif 000017
【図３Ｄ】
2012164398.tif 000018
【図３Ｅ】
2012164398.tif 000019
【図３Ｆ】
2012164398.tif 000020
【図４Ａ】
2012164398.tif 000021
【図４Ｂ】
2012164398.tif 000022
【図４Ｃ】
2012164398.tif 000023
【図４Ｄ】
2012164398.tif 000024
【図４Ｅ】
2012164398.tif 000025
【図４Ｆ】
2012164398.tif 000026
【図５Ａ】
2012164398.tif 000027
【図５Ｂ】
2012164398.tif 000028
【図５Ｃ】
2012164398.tif 000029
【図５Ｄ】
2012164398.tif 000030
【図５Ｅ】
2012164398.tif 000031
【図５Ｆ】
2012164398.tif 000032
【図６Ａ】
2012164398.tif 000033
【図６Ｂ】
2012164398.tif 000034
【図６Ｃ】
2012164398.tif 000035
【図６Ｄ】
2012164398.tif 000036
【図６Ｅ】
2012164398.tif 000037
【図６Ｆ】
2012164398.tif 000038
【図７Ａ】
2012164398.tif 000039
【図７Ｂ】
2012164398.tif 000040
【図７Ｃ】
2012164398.tif 000041
【図７Ｄ】
2012164398.tif 000042
【図８Ａ】
2012164398.tif 000043
【図８Ｂ】
2012164398.tif 000044
【図８Ｃ】
2012164398.tif 000045
【図８Ｄ】
2012164398.tif 000046